(57)【特許請求の範囲】
【請求項１】
本体に収納されたロータの回転を抽出して電気回路の接点を開閉するスイッチ機構を備えた鍵スイッチにおいて、
ロータに挿入された板鍵の挿脱方向に直交する方向に移動自在にされ、板鍵の中間部に係合してロータからの板鍵の抜脱を規制するロックタンブラをロータ内に収納するとともに、ロックタンブラを板鍵の抜脱の規制を解除する方向に移動させるリセットボタンと、本体外部に固定されるソレノイドと、ソレノイドのプランジャの動作をリセットボタンに伝達するリセットピンと、を設け、本体上面にロックタンブラの上面及びソレノイドに連通するとともにリセットボタン及びリセットピンが挿入される凹部を形成し、凹部とリセットボタンとの間に設置される防水パッキンと、凹部に挿入されたリセットボタンの上端が露出する状態で凹部の上面を被覆する蓋体と、を設けたことを特徴とする鍵スイッチ。
【請求項２】
前記リセットピンとリセットボタンとの間に、リセットピンの動作を反転してリセットボタンに伝達するリセットレバーを設けた請求項１に記載の鍵スイッチ。
【発明の詳細な説明】
【０００１】
【発明の属する技術分野】
この発明は、立体駐車場における車両用ゴンドラの移動や倉庫における扉の開閉を操作する操作盤に設けられ、ロータに挿入された板鍵の回転により電気回路の接点を開閉する鍵スイッチに関する。
【０００２】
【従来の技術】
本出願人は、特願平６−３２２１０９号において、単一のソレノイドによってロータの複数の回転位置で板鍵の抜き取りを規制及び規制解除することができ、コストダウン及び小型化を実現できる鍵スイッチを提案した。この鍵スイッチは、図８及び図９に示すように、板鍵６２の凹部６２ａに係合するロックタンブラ６５をロータ６３内に移動自在に備え、一端をソレノイド７４のプランジャ７４ａに係止し、他端をロックタンブラ６５の上面に所定の回転範囲において当接するようにしたリセットプレート７３を設けたものである。ソレノイド７４を駆動するとプランジャ７４ａの移動にともなってリセットプレート７３がロックタンブラ６５を押下し、ロックタンブラ６５は板鍵６２の凹部６２ａに係合しなくなって板鍵を抜脱することができる。
【０００３】
このように構成することにより、ロータの複数の回転位置で板鍵の抜き取りの規制を解除する場合に、抜き取りの規制を解除するロータの回転位置毎にソレノイドを設ける必要がなく、ソレノイドのプランジャを板鍵に係合させるか否かによって板鍵の抜き取りを規制又は規制解除するものに比べて、鍵スイッチのコストの削減を図り、操作盤等に対する鍵スイッチの取り付けスペースを小型化できる利点がある。
【０００４】
【発明が解決しようとする課題】
しかしながら、図８及び図９に示す鍵スイッチでは、ロータ６３を収納する本体６１を前本体６１ａ及び後本体６１ｂの前後２分割に構成し、前本体６１ａの背面側からリセットプレート７３を挿入するようにしていたため、リセットプレート７３を挿入した後に前本体６１ａに対して後本体６１ｂを複数の固定ネジを介して取り付けなければならず、部品点数の増加及び組立作業の煩雑化を招く問題がある。また、防水パッキン７４ｂを本体６１においてロータ６３より下方に位置するソレノイド７４のプランジャ７４ａに装着していたため、ロータ６３から浸入して防水パッキン７４ｂに達した水分は防水パッキン７４ｂの上側に溜まり、錆の発生等の不具合を生じる問題がある。さらに、非常時に強制的にリセットプレート７３を動作させる際には、リセット用ネジ７５を外したネジ孔に工具を挿入してリセットプレート７３を押圧しなければならず、リセット用ネジ７５の着脱及びネジ孔に対する工具の挿入という煩雑な作業が必要になる問題がある。
【０００５】
また、鍵スイッチの使用態様によっては、ソレノイドを駆動させていない状態で板鍵の抜き取りの規制を解除し、ソレノイドを駆動させた状態で板鍵の抜き取りを規制する鍵スイッチが必要とされる場合がある。この場合に、図８及び図９に示す構成において駆動時にプランジャが突出するプッシュタイプのソレノイドを用いることによっても対応できるが、プッシュタイプのソレノイドは、復帰用スプリングをプランジャの突出側とは反対側に配置しているため、駆動時にプランジャが引き込まれる一般的なプルタイプのソレノイドに比べてプランジャの移動方向の寸法が長くなり、鍵スイッチの大型化を招く問題がある。また、使用態様によって鍵スイッチの外形寸法が変化することになり、鍵スイッチが収納される操作盤の内部構造を使用態様に応じて変更する必要が生じる。
【０００６】
この発明の目的は、本体を一体化することにより部品点数の削減及び組立作業の容易化を実現でき、防水パッキンをロータより上方に配置してロータから浸入した水分が内部に溜まらないようにして錆の発生等の不具合を確実に防止でき、非常時におけるリセットプレートの手動操作を容易にできる鍵スイッチを提供することにある。
【０００７】
また、ソレノイドを駆動させた状態で板鍵の抜き取りを規制する場合にも、一般的なプルタイプのソレノイドを使用することができ、使用態様によって外形寸法が変化することがなく、操作盤の内部構造の変更を必要とすることのない鍵スイッチを提供することにある。
【０００８】
【課題を解決するための手段】
請求項１に記載した発明は、本体に収納されたロータの回転を抽出して電気回路の接点を開閉するスイッチ機構を備えた鍵スイッチにおいて、
ロータに挿入された板鍵の挿脱方向に直交する方向に移動自在にされ、板鍵の中間部に係合してロータからの板鍵の抜脱を規制するロックタンブラをロータ内に収納するとともに、ロックタンブラを板鍵の抜脱の規制を解除する方向に移動させるリセットボタンと、本体外部に固定されるソレノイドと、ソレノイドのプランジャの動作をリセットボタンに伝達するリセットピンと、を設け、本体上面にロックタンブラの上面及びソレノイドに連通するとともにリセットボタン及びリセットピンが挿入される凹部を形成し、凹部とリセットボタンとの間に設置される防水パッキンと、凹部に挿入されたリセットボタンの上端が露出する状態で凹部の上面を被覆する蓋体と、を設けたことを特徴とする。
【０００９】
請求項２に記載した発明は、前記リセットピンとリセットボタンとの間に、リセットピンの動作を反転してリセットボタンに伝達するリセットレバーを設けたことを特徴とする。
【００１０】
【発明の実施の形態】
図１は、請求項１に記載した発明の実施態様の一例である鍵スイッチの構成を示す側面断面図である。また、図２は、図１におけるＸ−Ｘ位置の断面図である。鍵スイッチは、ロータ３を回転自在に収納する本体１と、この本体１の前面に取り付けられるカバー２と、本体１の背面部にスイッチベース７を介して取り付けられるマイクロスイッチ１１と、本体１の下側に取付られるソレノイド１４と、によって外形が構成されている。本体１はカバー２を介して操作盤の操作パネルに取り付けられる。カバー２の前面において図外の操作パネルに当接する部分にはパッキン２１が、カバー２と本体１との間にはＯリング２２が、ロータ３と本体１との間には防水パッキン２５が、設けられている。なお、スイッチベース７は、係合孔７ａと本体１に形成された突起１ｅとの係合により、本体１に固定される。また、ソレノイド１４は、駆動時にプランジャ１４ａが引き込まれる一般的なプルタイプのソレノイドである。
【００１１】
ロータ３内には、上下方向に移動自在にされるとともに、図外のスプリングにより下方に付勢された複数（本実施例では５個）のタンブラ４と、同じく上下方向に移動自在にされたロックタンブラ５とが収納されている。ロータ３の背面には取付ネジ１０を介してノッチカム８及びスイッチカム９が固定されている。ノッチカム８及びスイッチカム９はロータ３に伴って回転し、スイッチカム９がマイクロスイッチ１１のアクチュエータに当接してマイクロスイッチ１１を動作させる。
【００１２】
ロータ３には、前面の鍵穴から板鍵１２が挿入される。板鍵１２の鍵山１２ａは、タンブラ４に係合し、タンブラ４を上方に押し上げる。タンブラ４の上側の長さに応じた鍵山１２ａを有する板鍵１２がロータ３内に挿入されると、タンブラ４は上下の端部において本体１内の空間４ａ及び４ｂに露出しなくなり、ロータ３を板鍵１２とともに回転させることができるようになる。
【００１３】
板鍵１２をロータ３内に挿入すると、板鍵１２の下面に形成された凹部１２ｂにロックタンブラ５が係合する。板鍵１２の凹部１２ｂにロックタンブラ５が係合した状態では、板鍵１２をロータ３から引き抜くことができない。このロックタンブラ５は、スプリング５ａの弾性力により上方に付勢されているが、板鍵１２の挿入時には板鍵１２の先端の傾斜面による押圧を受けて一旦下方に移動し、板鍵１２がロータ３内に完全に挿入されたときに上方に移動する。
【００１４】
このロックタンブラ５の上端に対向する位置にリセットボタン１５が配置されている。ソレノイド１４のプランジャ１４ａに下端を係止したリセットピン１３の上端は、このリセットボタン１５に係合している。図３は、これらプランジャ１４ａ、リセットピン１３及びリセットボタン１５の係合状態を示している。リセットピン１３は、円形断面を呈し、下端部及び上端部を中間部から水平方向に直角に、かつ、平面において互いに直交する方向に折曲されている。リセットピン１３の下端部はプランジャ１４ａの係合孔１４ｃに嵌入しており、リセットピン１３の上端部はリセットボタン１５の係合孔１５ａに嵌入している。
【００１５】
本体１の上面には凹部１ａが形成されており、この凹部１ａ内においてソレノイド１４の上面及びロックタンブラ５の上面に対向する位置に、それぞれ孔部１ｂ及び孔部１ｃが形成されている。この孔部１ｂにリセットボタン１５が挿入され、孔部１ｃにリセットピン１３が挿入されている。凹部１ａにおいてリセットボタン１５の外周部に防水パッキン６が外嵌している。また、凹部１ａの上面は蓋体１６により被覆される。蓋体１６には下方に延出した押圧部１６ａが形成されている。防水パッキン６の外周部は、凹部１ａ内の段部１ｄと蓋体１６に形成された押圧部１６ａとの間に挟持される。この蓋体１６の中央部には孔部１６ｂが形成されており、この孔部１６ｂからリセットボタン１５の上端が、蓋体１６の上面に露出する。この蓋体１６には係合孔１６ｃが形成されており、本体１に形成された突起１ｆが係合孔１６ｃに嵌入することにより、蓋体１６が本体１の上面に固定される。
【００１６】
以上のように構成された鍵スイッチにおいて、ソレノイド１４を駆動していない状態では、プランジャ１４ａはスプリング１４ｂの弾性力により上側に付勢されており、リセットピン１３及びリセットボタン１５は上方に退避している。ロックタンブラ５は鍵孔５ｂの下縁において板鍵１２の凹部１２ｂに係合している。この係合により、ソレノイド１４を駆動させていない状態では、ロータ３から板鍵１２を引き抜くことができない。
【００１７】
ソレノイド１４を駆動すると、プランジャ１４ａが下方に引き込まれる。このプランジャ１４ａの移動によって図４に示すように、リセットボタン１５は、リセットピン１３とともに下方に移動し、リセットボタン１５の下端がロックタンブラ５を下方に押圧する。この押圧によりロックタンブラ５はロータ３内を下方に移動し、ロックタンブラ５の鍵孔５ｂの下縁は、板鍵１２の凹部１２ｂに係合しなくなる。これによって、ソレノイド１４を駆動させた状態では、ロータ３から板鍵５を引き抜くことができる。
【００１８】
また、非常時にソレノイド１４を駆動することができない場合でも、蓋体１６の上面に露出しているリセットボタン１５の上端を押圧することにより、ロックタンブラ５を下方に移動させて鍵孔５ｂの下縁が板鍵１２の凹部１２ｂに係合しない状態にし、ロータ３から板鍵５を引き抜くことができる。
【００１９】
ロックタンブラ５の上面５ｃは、ロータ３の回転範囲に対応する角度範囲で円弧状に形成されており、また、平行部５ｄは、ロータ３の溝部３ａに嵌入している。このことから、ロータ３を中心位置から左右に所定の角度範囲で回転させた場合でも、リセットボタン１５の一端がロックタンブラ５の上面５ｃの一部に常に対向し、ソレノイド１４の駆動によりプランジャ１４ａおよびリセットボタン１５を介してロックタンブラ５を板鍵１２の凹部１２ｂに係合しない位置に移動することができる。したがって、単一のソレノイド１４およびリセットボタン１５により、ロータ３の複数の回転位置においてロックタンブラ５による板鍵１２の抜き取りの規制を解除することができる。
【００２０】
以上の構成により、この鍵スイッチにおいては、リセットピン１３及びリセットボタン１５を本体１の上面に形成された凹部１ａから所定の位置に挿入することができ、本体１を一体に形成することができる。このため、リセットピン１３及びリセットボタン１５を収納する位置で本体を分割する必要がなく、分割して構成した本体をネジ等によって固定する必要もなく、組立作業を簡略化できるとともに、部品点数を削減してコストダウンを実現できる。
【００２１】
また、蓋体１６の上面に露出したリセットボタン１５の上端を押圧することにより、ロックタンブラ５を下方に移動して板鍵１２の引き抜きの規制を解除することができるため、非常時における板鍵１２の引き抜きの規制解除を容易に行うことができる。
【００２２】
さらに、防水パッキン６は、水分が浸入する鍵穴を有するロータ３よりも上方に位置しているため、ロータ３の鍵穴から浸入した水分が防水パッキン６の位置に溜まることがない。このため、防水パッキン６が配置されている部分に錆の発生等の不具合を生じることがない。
【００２３】
なお、本体１の凹部１ａ内に、リセットボタン１５を上方に付勢するスプリングを設けることにより、リセットボタン１５に十分な復帰力を与えることができる。
【００２４】
図５は、請求項２に記載した発明の実施形態の一例である鍵スイッチの断面図であり、上記図２と同位置における断面を示している。図５において請求項１に記載した発明の実施形態と同じ構成部分には図１〜４と同一の符号を付して説明を省略する。図５に示す鍵スイッチでは、ソレノイド１４のプランジャ１４ａの動作をリセットピン３３及びリセットレバー３４を介してリセットボタン３５に伝達するようにしている。即ち、図６に示すように、リセットピン３３は、上下の端部３３ａ及び３３ｂを互いに逆方向に、かつ、平行となるように折曲されている。リセットレバー３４は、中間部に一対の支持突部３４ａを有し、この支持突部３４ａを支点として本体１の凹部１ａ内において揺動自在に支持されている。また、リセットレバー３４には、当接部３４ｂ及び当接片３４ｃが形成されている。リセットボタン３５には、上下方向の中間部分に凸部３５ｂを備えた凹部３５ａが形成されている。この凹部３５ａにリセットレバー３４の当接片３４ｃが挿入される。リセットレバー３４の当接部３４ｂの上面にリセットピン３３の上側端部３３ａが当接し、当接片３４ｃの上面にリセットボタン３５の凸部３５ｂが当接している。さらに、リセットボタン３５は、コイルスプリング３６により下方に付勢されている。
【００２５】
以上の構成により、ソレノイド１４を駆動させていない状態では、図５に示すように、プランジャ１４ａはスプリング１４ｂの弾性力により上方に突出している。このため、下側端部３３ｂがプランジャ１４ａに係止されたリセットピン３３も上側に位置している。このとき、リセットボタン３５はスプリング３６の弾性力により下方に付勢され、ロックタンブラ５を下方に押圧している。したがって、リセットレバー３４は、リセットピン３３側の当接部３４ｂを上に、リセットボタン３５側の当接片３４ｃを下にして停止する。これによって、ロックタンブラ５は板鍵１２の凹部１２ａに嵌合せず、板鍵１２をロータ３に対して自由に抜き差しすることができる。
【００２６】
一方、ソレノイド１４を駆動させている状態では、図７に示すように、プランジャ１４ａはスプリング１４ｂの弾性力に抗して下方に引かれる。これとともにリセットピン３３も下方に移動し、リセットピン３３の上側端部３３ａはリセットレバー３４の当接部３４ｂを下方に押圧する。これによって、リセットレバー３４は、リセットピン３３側の当接部３４ｂが下方に移動し、リセットボタン３５側の当接片３４ｃが上方に移動するように揺動する。したがって、リセットボタン３５は、リセットレバー３４の当接片３４ｃにより上方に押圧され、コイルスプリング３６の弾性力に抗して上方に移動する。このため、リセットボタン３５はロックタンブラ５を下方に押圧しなくなり、ロックタンブラ５が板鍵１２の凹部１２ａに嵌合することにより、板鍵１２をロータ３から引き抜くことができなくなる。
【００２７】
以上のようにして、リセットピン１３及びリセットボタン１５に代えて、リセットピン３３、リセットレバー３４及びリセットボタン３５を用いることにより、本体１やロックタンブラ５及びソレノイド１４等の他の部品を何ら交換することなく、ソレノイドを駆動させている時に板鍵１２を引き抜けない状態とする使用態様に適合した構成とすることができる。したがって、ソレノイドを駆動させていない状態で板鍵の抜き取りを規制する場合、及び、ソレノイドを駆動させた状態で板鍵の抜き取りを規制する場合のいずれにも、一般的なプルタイプのソレノイド１４を使用することができ、使用態様によって外形寸法が変化することがなく、操作盤の内部構造の変更を必要とすることがない。
【００２８】
なお、図５〜７に示した実施形態において、リセットボタン３５が手動操作されることはない。したがって、リセットボタン３５の上端が蓋体１６から露出する必要はない。しかし、蓋体１６の上面にリセットボタン３５の上端が露出しているか否かは、ソレノイド１４の動作状態の確認に用いることができる。
【００２９】
【発明の効果】
請求項１に記載した発明によれば、リセットピン及びリセットボタンを本体の上面に形成された凹部から所定の位置に挿入することができ、本体を一体に形成することができる。このため、リセットピン及びリセットボタンを収納する位置で本体を分割する必要がなく、分割して構成した本体をネジ等によって固定する必要もなく、組立作業を簡略化できるとともに、部品点数を削減してコストダウンを実現できる。
【００３０】
また、リセットボタンの上端を押圧することにより、ロックタンブラを下方に移動して板鍵の引き抜きの規制を解除することができるため、非常時における板鍵の引き抜きの規制解除を容易に行うことができる。
【００３１】
さらに、防水パッキンは、水分が浸入する鍵穴を有するロータよりも上方に位置しているため、ロータの鍵穴から浸入した水分が防水パッキンの位置に溜まることがない。このため、防水パッキンが配置されている部分に錆の発生等の不具合を生じることがない。
【００３２】
請求項２に記載した発明によれば、ソレノイドを駆動させていない状態で板鍵の抜き取りを規制する場合、及び、ソレノイドを駆動させた状態で板鍵の抜き取りを規制する場合のいずれにおいても、一般的なプルタイプのソレノイドを使用することができ、使用態様によって外形寸法が変化することがなく、操作盤の内部構造の変更を必要とすることがない。
【図面の簡単な説明】
【図１】請求項１に記載した発明の実施形態である鍵スイッチの側面断面図である。
【図２】同鍵スイッチの図１におけるＸ−Ｘ部の正面断面図である。
【図３】同鍵スイッチの図１におけるＸ−Ｘ部の正面断面図である。
【図４】同鍵スイッチの要部の構成を示す斜視図である。
【図５】請求項２に記載した発明の実施形態である鍵スイッチの正面断面図である。
【図６】同鍵スイッチの要部の構成を示す斜視図である。
【図７】同鍵スイッチの正面断面図である。
【図８】この発明の前提となる鍵スイッチの側面断面図である。
【図９】同鍵スイッチの正面断面図である。
【符号の説明】
１−本体
１ａ−凹部
２−カバー
３−ロータ
４−タンブラ
５−ロックタンブラ（抜脱規制部材）
６−防水パッキン
１１−マイクロスイッチ
１２−板鍵
１３，３３−リセットピン
１４−ソレノイド（規制解除手段）
１４ａ−プランジャ
１５，３５−リセットボタン
１６−蓋体
３４−リセットレバー
【図１】
0003778604.tif 000002
【図２】
0003778604.tif 000003
【図３】
0003778604.tif 000004
【図４】
0003778604.tif 000005
【図５】
0003778604.tif 000006
【図６】
0003778604.tif 000007
【図７】
0003778604.tif 000008
【図８】
0003778604.tif 000009
【図９】
0003778604.tif 000010